(57)【要約】  【課題】  対応する装置でのみ外部の記憶媒体に記憶されたデータの再生を可能にする。  【解決手段】  装着されたメモリカードから内部のハードディスク２０に取り込んだデータを再生するためのカラオケ装置１００であって、カラオケ装置のシリアルＩＤとメモリカードのシリアルＩＤとを比較するＩＤ比較部１１と、シリアルＩＤの一致を検知して、ハードディスク２０へのデータの取り込み又はデータの再生を実行するデータ取得部１２とを備える。【選択図】  図１
2005302247.tif 000002
【特許請求の範囲】
【請求項１】
外部の記憶媒体から内部の記憶媒体に取り込んだデータを再生するためのデータ再生装置であって、
前記データ再生装置の識別情報と前記外部の記憶媒体の識別情報とを比較する比較手段と、
識別情報の一致を検知して、前記内部の記憶媒体へのデータの取り込みを実行する実行手段とを備えるデータ再生装置。
【請求項２】
外部の記憶媒体からデータ再生装置内部の記憶媒体に取り込んだデータを再生するためのデータ再生方法であって、
前記データ再生装置の識別情報と前記外部の記憶媒体の識別情報とを比較し、
識別情報の一致を検知して、前記内部の記憶媒体へのデータの取り込みを実行するデータ再生方法。
【請求項３】
外部の記憶媒体から内部の記憶媒体に取り込んだデータを再生するためのデータ再生プログラムであって、コンピュータを、
前記データ再生装置の識別情報と前記外部の記憶媒体の識別情報とを比較する比較手段、
識別情報の一致を検知して、前記内部の記憶媒体へのデータの取り込みを実行する実行手段、として機能させるためのデータ再生プログラム。
【発明の詳細な説明】
【技術分野】
【０００１】
本発明は、外部の記憶媒体から内部の記憶媒体に取り込んだデータを再生するためのデータ再生装置、データ再生方法及びデータ再生プログラムに関する。
【背景技術】
【０００２】
カラオケ装置では、新曲が発表されるたびに当該新譜の楽曲データ（カラオケデータ）を追加更新する必要がある。従来、据置型のカラオケ装置では、有線の通信回線を介して楽曲データを配信するホスト端末と接続し、著作権保護されたカラオケデータをセキュアに取得して、ハードディスクなどの記憶媒体に格納している（例えば、特許文献１参照）。
【０００３】
ところが、車載用カラオケ装置では通信による楽曲データの取得が行えないため、新譜の楽曲データを記録したフラッシュメモリカードなどの記憶媒体をカラオケ装置に装着して楽曲データの追加を行い、記憶媒体から楽曲データを読み出して再生していた。
【０００４】
【特許文献１】特開２００３−７６３８３号公報
【発明の開示】
【発明が解決しようとする課題】
【０００５】
しかし、記憶媒体を用いて楽曲データを追加する方式では、記憶媒体を装着するスロットの数だけしか曲の追加ができないという問題があった。これを解決する方策として、カラオケ装置内にハードディスクなどの記憶媒体を備え、外部の記憶媒体に記録された楽曲データを内部の記憶媒体に取り込んで蓄積することが考えられる。しかしこの方法では、外部記憶媒体を別のカラオケ装置に装填することにより使いまわしができるため、楽曲データの著作権保護が極めて困難であるという問題があった。
【０００６】
本発明は、上記事情に鑑みてなされたものであり、対応する装置でのみ外部の記憶媒体に記憶されたデータの再生が可能なデータ再生装置、データ再生方法及びデータ再生プログラムを提供することを目的としている。
【課題を解決するための手段】
【０００７】
本発明のデータ再生装置は、外部の記憶媒体から内部の記憶媒体に取り込んだデータを再生するためのデータ再生装置であって、前記データ再生装置の識別情報と前記外部の記憶媒体の識別情報とを比較する比較手段と、識別情報の一致を検知して、前記内部の記憶媒体へのデータの取り込みを実行する実行手段とを備える。
【０００８】
また、本発明のデータ再生方法は、外部の記憶媒体からデータ再生装置内部の記憶媒体に取り込んだデータを再生するためのデータ再生方法であって、前記データ再生装置の識別情報と前記外部の記憶媒体の識別情報とを比較し、識別情報の一致を検知して、前記内部の記憶媒体へのデータの取り込みを実行する。
【０００９】
さらに、本発明のデータ再生プログラムは、外部の記憶媒体から内部の記憶媒体に取り込んだデータを再生するためのデータ再生プログラムであって、コンピュータを、前記データ再生装置の識別情報と前記外部の記憶媒体の識別情報とを比較する比較手段、識別情報の一致を検知して、前記内部の記憶媒体へのデータの取り込みを実行する実行手段、として機能させるためのプログラムである。
【００１０】
上記構成によれば、データ再生装置の識別情報と外部の記憶媒体の識別情報とを比較することにより、識別情報が一致しない場合には内部の記憶媒体へのデータの取り込みが実行されないため、対応する装置でのみ外部の記憶媒体に記憶されたデータの再生が可能になる。
【発明の効果】
【００１１】
本発明によれば、データ再生装置の識別情報と外部の記憶媒体の識別情報とを比較することにより、識別情報が一致しない場合には内部の記憶媒体へのデータの取り込みが実行されないため、対応する装置でのみ外部の記憶媒体に記憶されたデータの再生が可能になる。
【発明を実施するための最良の形態】
【００１２】
以下、本発明を車載用カラオケ装置に搭載する場合の実施の形態について、図面を用いて詳細に説明する。尚、本実施の形態では、楽曲データを記録する記録媒体としてメモリカードを用いて説明する。
【００１３】
図１は、本発明の実施の形態を説明するための車載用カラオケ装置の内部構成を示す図である。車載用カラオケ装置１００は、メモリカード（外部の記憶媒体）からハードディスク（内部の記憶媒体）に取り込んだデータを再生するためのものであり、主に、中央演算処理部１０、ハードディスク２０、メモリカードインターフェース部３０、映像処理部４０、音源処理部５０、映像処理メモリ６０、音声処理メモリ７０、外部出力インターフェース部８０、などで構成される。
【００１４】
中央演算処理部１０は、カラオケ装置１００の各部の動作を統括制御する制御部で、更に、ＩＤ比較部１１、データ取得部１２を含む。ＩＤ比較部１１は、カラオケ装置１００の識別情報とメモリカードの識別情報とを比較するものであり、データ取得部１２は、識別情報の一致を検知して、ハードディスク２０へのデータの取り込みを実行するものである。ＩＤ比較部１１及びデータ取得部１２の各機能は、中央演算処理部１０のＣＰＵでプログラムを実行することにより実現され、後述する楽曲データ読み込み動作もこの中央演算処理部１０内の処理により実行される。ハードディスク２０は、カラオケ装置の楽曲データを格納する外部記録装置で、このハードディスク２０に記録された楽曲データを読み出すことによりカラオケの再生が行われる。メモリカードインターフェース部３０は、装着されたメモリカードとカラオケ装置との間でデータの送受信を行うためのインターフェース部である。
【００１５】
映像処理部４０は、ハードディスク２０に記録された楽曲データの再生を行う際に映像に係わるデータ処理を行うブロックで、ＭＰＥＧ（Motion Picture Experts Group）デコーダＩＣや描画ＬＳＩなどを含む。具体的には、ＭＰＥＧ形式のビデオファイルがＭＰＥＧデコーダＩＣでデコードされ、デコードされた背景用動画データは描画ＬＳＩに出力されてその他の楽曲データである歌詞文字データなどと合成される。尚、歌詞文字は、後述するＭＩＤＩファイル内の制御データにより表示や色替わりのタイミングが制御される。
【００１６】
また、音源処理部５０は、ハードディスク２０に記録された楽曲データの再生を行う際に音声に係わるデータ処理を行うブロックで、ＭＩＤＩ（Musical Instrument Digital Interface）ボードでＭＩＤＩファイルのカラオケ演奏曲データを再生する。
【００１７】
映像処理メモリ６０及び音声処理メモリ７０は、それぞれ映像処理部４０及び音源処理部５０のデータ処理用メモリである。また、外部出力インターフェース部８０は、再生処理後の映像及び音声信号を外部出力するためのインターフェースである。
【００１８】
図２は、図１に示すカラオケ装置を用いたカラオケシステムの構成を示す図である。車載用カラオケ装置１００本体の外部出力インターフェース部８０から出力された映像及び音声信号は、映像／音声セレクタ２００で分岐して、音声信号は、ミキシングアンプ３００を介してマイク４００からの入力音声と合成されてスピーカ５００から出力される。また、映像信号は、モニタディスプレイ６００から出力される。
【００１９】
次に、上記構成の車載用カラオケ装置の動作について説明する。
【００２０】
図３は、図１に示すカラオケ装置の楽曲データ読み込み動作の手順を示すフローチャートであり、図４は、図１に示すカラオケ装置の外観を示す図であり、図５は、メモリカードに記録されるデータの構成を概念的に示す図である。図４に示すように車載用カラオケ装置前面のメモリカード装着部３１にメモリカード７００を装着すると、中央演算処理部１０は装着したメモリカードに記録されているシリアルＩＤデータを取得する（ステップＳ１０１）。
【００２１】
次に、中央演算処理部１０のＩＤ比較部１１は、メモリカードから取得したシリアルＩＤ（識別情報）とカラオケ装置本体のシリアルＩＤを比較する（ステップＳ１０２）。図５に示すようにメモリカード内には、楽曲データと、装着対象となるカラオケ装置本体のシリアル番号が予め記録されている。従って、装着したメモリカード内に記録されているシリアルＩＤと装着先のカラオケ装置本体のシリアルＩＤとが一致することを検知した場合のみ、データ取得部１２は、楽曲データの取り込みを実行する。
【００２２】
図６は、シリアルＩＤが一致する場合と一致しない場合を説明するための図である。図６に示すようにシリアルＩＤ１０００１のカラオケ装置向けに楽曲データを記録したメモリカードが、シリアルＩＤ１０００１のカラオケ装置に装着されると、楽曲データの取得が可能であるが、シリアルＩＤ１０００５のカラオケ装置（即ち、別のカラオケ装置）に装着されると、そのカラオケ装置は楽曲データの取得を実行できない。
【００２３】
シリアルＩＤが一致する場合、データ取得部１２は、メモリカード内に記録されているデータが新譜の楽曲データデータであるか否かを判断し（ステップＳ１０３）、新譜の楽曲データである場合、楽曲データのアップロード処理を行う（ステップＳ１０４）。楽曲データには、ＭＩＤＩファイル、歌詞ファイル、目次ファイルなどが含まれ、それぞれのファイルがアップロードされる。アップロードされた楽曲データはハードディスク２０に格納され、アップロードが終了すると終了メッセージをカラオケ装置本体の表示部（図示省略）に表示して（ステップＳ１０５）、処理を終了する。
【００２４】
一方、ステップＳ１０２においてシリアルＩＤが一致しない場合、ＩＤ比較部１１は、メモリカードが装着対象ではないカラオケ装置に装着されたと判断して、中央演算処理部１０はエラーメッセージを表示して（ステップＳ１０６）、処理を終了する。
【００２５】
尚、カラオケ装置のシリアルＩＤは、図４に示すようにメモリカード上及びカラオケ装置本体に表示されるようにして、装着を行う操作者が装着対象であるカラオケ装置であるか否かが容易に判断できるようにしておくことが好ましい。特にカラオケ装置本体は、メモリカード装着部付近にシリアルＩＤを表記してもよいし、またはカラオケ装置の起動時などに表示部にシリアルＩＤが表示されるようにしてもよい。
【００２６】
また、上記説明では、データ取得部１２がシリアルＩＤの一致を検知してハードディスク２０へのデータの取り込みを実行したが、シリアルＩＤの一致を検知してデータの再生を実行してもよい。
【００２７】
また、上記の実施の形態では、楽曲データの記録媒体としてメモリカードを用いて説明したが、これに限定されるものではなく、カラオケ装置に着脱可能な他の記録媒体を用いてもよい。
【００２８】
以上のように、本発明の実施の形態における車載用カラオケ装置によれば、シリアルＩＤが一致した場合のみメモリカードからカラオケ装置へ楽曲データがコピーされる。即ち、任意のメモリカードに記録された楽曲データがコピーできるカラオケ装置が一意に限定されるので、不正コピーを防止し、楽曲データの著作権保護を実現できる。
【産業上の利用可能性】
【００２９】
本発明は、データ再生装置の識別情報と外部の記憶媒体の識別情報とを比較することにより、識別情報が一致しない場合には内部の記憶媒体へのデータの取り込みが実行されないため、対応する装置でのみ外部の記憶媒体に記憶されたデータの再生が可能になるという効果を有し、外部の記憶媒体から内部の記憶媒体に取り込んだデータを再生するためのデータ再生装置、データ再生方法及びデータ再生プログラム等に有用である。
【図面の簡単な説明】
【００３０】
【図１】本発明の実施の形態を説明するための車載用カラオケ装置の内部構成を示す図
【図２】図１に示すカラオケ装置を用いたカラオケシステムの構成を示す図
【図３】図１に示すカラオケ装置の楽曲データ読み込み動作の手順を示すフローチャート
【図４】カラオケ装置１００の外観を示す図
【図５】メモリカードに記録されるデータの構成を概念的に示す図
【図６】シリアルＩＤが一致する場合と一致しない場合を説明するための図
【符号の説明】
【００３１】
１０  中央演算処理部
１１  ＩＤ比較部
１２  データ取得部
２０  ハードディスク
３０  メモリカードインターフェース部
３１  メモリカード装着部
４０  映像処理部
５０  音源処理部
６０  映像処理メモリ
７０  音声処理メモリ
８０  外部出力インターフェース部
９０  リモコン受光部
１００  車載用カラオケ装置
２００  映像／音声セレクタ
３００  ミキシングアンプ
４００  マイク
５００  スピーカ
６００  モニタディスプレイ
７００  メモリカード
【図１】
2005302247.tif 000003
【図２】
2005302247.tif 000004
【図３】
2005302247.tif 000005
【図４】
2005302247.tif 000006
【図５】
2005302247.tif 000007
【図６】
2005302247.tif 000008